(57)【要約】【課題】  本発明は、ピクチャ内符号化とピクチャ間予測符号化とを含む動画像符号化方式を用いて生成された符号化データを複数の記録媒体に分割して記録する分割記録において、個々の記録媒体を独立して再生した場合においても画像の乱れのない再生を可能とする符号化データ記録装置、及び符号化データ記録方法を提供する。【解決手段】  一の記録媒体に記録すべく分割して得た第１の分割符号化データを再生する際に、他の記録媒体に記録すべく分割して得た他の分割符号化データを必要とする前記第１の分割符号化データにおけるピクチャ間予測符号化ピクチャが、画像表示手段に非表示とされることを示す表示禁止情報を、前記第１の分割符号化データと共に前記一の記録媒体に記録するようにした。【選択図】      図２
2005311936.tif 000002
【特許請求の範囲】
【請求項１】
ピクチャ内符号化とピクチャ間予測符号化とを含む動画像符号化方式を用いて生成された符号化データを複数の記録媒体に分割して記録する符号化データ記録装置において、
一の記録媒体に記録すべく分割して得た第１の分割符号化データを再生する際に、他の記録媒体に記録すべく分割して得た他の分割符号化データを必要とする前記第１の分割符号化データにおけるピクチャ間予測符号化ピクチャが、画像表示手段に非表示とされることを示す表示禁止情報を、前記第１の分割符号化データと共に前記一の記録媒体に記録する記録手段を備えたことを特徴とする符号化データ記録装置。
【請求項２】
ピクチャ内符号化とピクチャ間予測符号化とを含む動画像符号化方式を用いて生成された符号化データを複数の記録媒体に分割して記録する符号化データ記録方法において、
一の記録媒体に記録すべく分割して得た第１の分割符号化データを再生する際に、他の記録媒体に記録すべく分割して得た他の分割符号化データを必要とする前記第１の分割符号化データにおけるピクチャ間予測符号化ピクチャが、画像表示手段に非表示とされることを示す表示禁止情報を、前記第１の分割符号化データと共に前記一の記録媒体に記録する記録ステップを備えたことを特徴とする符号化データ記録方法。
【請求項３】
ピクチャ内符号化とピクチャ間予測符号化とを含む動画像符号化方式を用いて生成された符号化データを複数の記録媒体に分割して記録する符号化データ記録装置において、
一の記録媒体に記録すべき分割符号化データであり、一の分割点に対して時間的に直後の分割符号化データである第１の分割符号化データを、ピクチャ間予測復号において他の記録媒体に記録すべき他の分割符号化データを必要としないようにして符号化して得て、前記第１の分割符号化データを前記一の記録媒体に記録する記録手段を備えたことを特徴とする符号化データ記録装置。
【請求項４】
ピクチャ内符号化とピクチャ間予測符号化とを含む動画像符号化方式を用いて生成された符号化データを複数の記録媒体に分割して記録する符号化データ記録方法において、
一の記録媒体に記録すべき分割符号化データであり、一の分割点に対して時間的に直後の分割符号化データである第１の分割符号化データを、ピクチャ間予測復号において他の記録媒体に記録すべき他の分割符号化データを必要としないようにして符号化して得て、前記第１の分割符号化データを前記一の記録媒体に記録する記録ステップを備えたことを特徴とする符号化データ記録方法。
【発明の詳細な説明】
【技術分野】
【０００１】
本発明は、ピクチャ内符号化とピクチャ間予測符号化とを含む動画像符号化方式を用いて生成された符号化データを複数の記録媒体に分割して記録する符号化データ記録装置、及び符号化データ記録方法に関するものである。
【背景技術】
【０００２】
動画像の符号化方式として動き補償予測符号化がある。例えば、ＩＳＯ／ＩＥＣ  １３８１８−２（以下、ＭＰＥＧ−２ビデオ）に準拠する方式がある。
この符号化方式により、例えば、２１６Ｍｂｐｓの標準テレビ品質のデジタル動画像信号を３Ｍｂｐｓから６Ｍｂｐｓ程度に符号化することができる。
【０００３】
これにより、符号化データの記録や伝送を行う上で記録媒体や伝送媒体を効率的に使うことができる。
ＭＰＥＧ−２ビデオに準拠した方式で符号化した符号化データを媒体に記録することで、あとから再生して動画像を表示することができる。
【０００４】
媒体としては、半導体メモリ、光ディスク、磁気テープ、ハードディスク等の様々なデジタル記録可能な媒体が用いられる。中でも、光ディスクは可搬性、コスト、利便性等に優れている。
【０００５】
しかしながら、一般に磁気テープやハードディスク等に比べて記憶容量が少なく、同じ符号化レートの動画像符号化データで比較した場合に記録時間が短くなる。
このため、長時間の動画像を１枚の光ディスクに記録する場合に符号化レートを低くする必要がある。結果として、記録した符号化データを再生した場合に再生画像の画質が劣化することになる。
【０００６】
この問題を解決するために、光ディスクチェンジャーを用いる方法がある。例えば、特許文献１にあるように、光ディスクの記録空き容量がない場合に、チェンジャー内の空き容量がある他の光ディスクに交換することで長時間の記録再生を可能とする技術がある。
【０００７】
複数の光ディスクに分割記録した符号化データを再生する場合は、管理情報に基づき必要に応じて光ディスクの交換を行いながら分割記録した符号化データを順次読み取って再生する。このとき、チェンジャー内の光ディスク交換により符号化データの記録再生が一時的に停止する。
【０００８】
これを解決するため、特許文献１や特許文献２では、バッファメモリを用いることで連続した記録再生を行うことを開示している。
以上により、符号化レートを低くして再生画像の画質を劣化させることなく、長時間の動画像符号化データを記録再生することができる。
【特許文献１】特開２０００−３０４１３号公報
【特許文献２】特開２００１−６２８５号公報
【発明の開示】
【発明が解決しようとする課題】
【０００９】
しかしながら、従来の光ディスクチェンジャーによる連続記録では、記録中の光ディスクに空き容量がなくなった場合に、符号化データの途中で光ディスクを交換して記録を継続する。このため個々の光ディスクに記録された符号化データは、符号化データのシンタックスと無関係に分断される。
【００１０】
これにより、個々の光ディスクに記録された符号化データを独立して再生した場合に、符号化データがシンタックス上の途中で途切れ、また、符号化データがシンタックス上の途中から始まることにより、符号化データの正しい復号ができず再生画像に大きな乱れが生じる課題があった。
【００１１】
また、個々の光ディスクに記録された符号化データを独立して再生した場合に、別の光ディスクに記録した符号化データを必要とするピクチャ間予測の復号が含まれると、符号化データの正しい復号ができず再生画像に大きな乱れが生じる課題があった。
【００１２】
本発明は、ピクチャ内符号化とピクチャ間予測符号化とを含む動画像符号化方式を用いて生成された符号化データを複数の記録媒体に分割して記録する分割記録において、個々の記録媒体を独立して再生した場合においても画像の乱れのない再生を可能とする符号化データ記録装置、及び符号化データ記録方法を提供することを目的とする。
【課題を解決するための手段】
【００１３】
そこで、上記目的を達成するために本発明は下記の装置及び方法を提供するものである。
（１）  ピクチャ内符号化とピクチャ間予測符号化とを含む動画像符号化方式を用いて生成された符号化データを複数の記録媒体に分割して記録する符号化データ記録装置において、
一の記録媒体に記録すべく分割して得た第１の分割符号化データを再生する際に、他の記録媒体に記録すべく分割して得た他の分割符号化データを必要とする前記第１の分割符号化データにおけるピクチャ間予測符号化ピクチャが、画像表示手段に非表示とされることを示す表示禁止情報を、前記第１の分割符号化データと共に前記一の記録媒体に記録する記録手段を備えたことを特徴とする符号化データ記録装置。
（２）  ピクチャ内符号化とピクチャ間予測符号化とを含む動画像符号化方式を用いて生成された符号化データを複数の記録媒体に分割して記録する符号化データ記録方法において、
一の記録媒体に記録すべく分割して得た第１の分割符号化データを再生する際に、他の記録媒体に記録すべく分割して得た他の分割符号化データを必要とする前記第１の分割符号化データにおけるピクチャ間予測符号化ピクチャが、画像表示手段に非表示とされることを示す表示禁止情報を、前記第１の分割符号化データと共に前記一の記録媒体に記録する記録ステップを備えたことを特徴とする符号化データ記録方法。
（３）  ピクチャ内符号化とピクチャ間予測符号化とを含む動画像符号化方式を用いて生成された符号化データを複数の記録媒体に分割して記録する符号化データ記録装置において、
一の記録媒体に記録すべき分割符号化データであり、一の分割点に対して時間的に直後の分割符号化データである第１の分割符号化データを、ピクチャ間予測復号において他の記録媒体に記録すべき他の分割符号化データを必要としないようにして符号化して得て、前記第１の分割符号化データを前記一の記録媒体に記録する記録手段を備えたことを特徴とする符号化データ記録装置。
（４）  ピクチャ内符号化とピクチャ間予測符号化とを含む動画像符号化方式を用いて生成された符号化データを複数の記録媒体に分割して記録する符号化データ記録方法において、
一の記録媒体に記録すべき分割符号化データであり、一の分割点に対して時間的に直後の分割符号化データである第１の分割符号化データを、ピクチャ間予測復号において他の記録媒体に記録すべき他の分割符号化データを必要としないようにして符号化して得て、前記第１の分割符号化データを前記一の記録媒体に記録する記録ステップを備えたことを特徴とする符号化データ記録方法。
【発明の効果】
【００１４】
本発明の符号化データ記録装置、方法によれば、一の記録媒体に記録すべく分割して得た第１の分割符号化データを再生する際に、他の記録媒体に記録すべく分割して得た他の分割符号化データを必要とする前記第１の分割符号化データにおけるピクチャ間予測符号化ピクチャが、画像表示手段に非表示とされることを示す表示禁止情報を、前記第１の分割符号化データと共に前記一の記録媒体に記録するようにした。よって、個々の記録媒体に記録した符号化データを独立して再生した場合においても、ピクチャ間予測復号に別の記録媒体に分割記録した符号化データを必要とするピクチャを正しく復号できないことで生じる大きな画像の乱れを防止することができる。
【００１５】
また、本発明の符号化データ記録装置、方法によれば、一の記録媒体に記録すべき分割符号化データであり、一の分割点に対して時間的に直後の分割符号化データである第１の分割符号化データを、ピクチャ間予測復号において他の記録媒体に記録すべき他の分割符号化データを必要としないようにして符号化して得て、前記第１の分割符号化データを前記一の記録媒体に記録するようにした。よって、個々の記録媒体に記録した符号化データを独立して再生した場合においても、ピクチャ間予測の復号に別の記録媒体に分割記録した符号化データを必要とするピクチャを正しく復号できないことで生じる大きな画像の乱れを防止することができる。
【発明を実施するための最良の形態】
【００１６】
以下、動画像の符号化としてＭＰＥＧ−２ビデオに準拠する方式を用い、また、記録媒体として光ディスクを用いた場合の実施例について説明する。まず、ＭＰＥＧ−２ビデオ符号化データについて説明する。
《ＭＰＥＧ−２ビデオ符号化データについて》
ＭＰＥＧ−２ビデオには、ピクチャ内符号化として符号化するＩ−ｐｉｃｔｕｒｅ、ピクチャの表示順で直前参照ピクチャを用いた動き補償予測符号化ピクチャ（ピクチャ間予測符号化ピクチャ）として符号化するＰ−ｐｉｃｔｕｒｅ、ピクチャの表示順で直前、及び直後の参照ピクチャを用いた動き補償予測符号化ピクチャ（ピクチャ間予測符号化ピクチャ）として符号化するＢ−ｐｉｃｔｕｒｅがある。
【００１７】
ここで参照ピクチャとは、Ｉ−ｐｉｃｔｕｒｅ、もしくは、Ｐ−ｐｉｃｔｕｒｅとして符号化したピクチャである。
図６にＭＰＥＧ−２ビデオ符号化データの構成例を示す。
【００１８】
図６（ａ）のようにＭＰＥＧ−２ビデオでは、一般に符号化データは複数のＧＯＰ（Ｇｒｏｕｐ  ｏｆ  Ｐｉｃｔｕｒｅ）で構成される。各ＧＯＰはＳｅｑｕｅｎｃｅ  Ｈｅａｄｅｒから始まり、以下Ｓｅｑｕｅｎｃｅ  Ｅｘｔｅｎｓｉｏｎ、ＧＯＰ  Ｈｅａｄｅｒと続く。
【００１９】
その後、例えば、図６（ｂ）のようにＩ−ｐｉｃｔｕｒｅ、Ｐ−ｐｉｃｔｕｒｅ、Ｂ−ｐｉｃｔｕｒｅ、Ｂ−ｐｉｃｔｕｒｅと続く構成や、図６（ｃ）のようにＩ−ｐｉｃｔｕｒｅ、Ｂ−ｐｉｃｔｕｒｅ、Ｂ−ｐｉｃｔｕｒｅ、Ｐ−ｐｉｃｔｕｒｅと続く構成がある。
【００２０】
図６（ｂ）の構成では、直前のＧＯＰ中のピクチャを参照ピクチャとして用いず復号することができる。
図６（ｃ）の構成では、直前のＧＯＰ中のピクチャを参照ピクチャとして用いず復号することができる場合と、直前のＧＯＰ中のピクチャを参照ピクチャとして用いて復号する必要がある場合の２通りがある。
【００２１】
具体的には、図６（ｃ）の構成でＩ−ｐｉｃｔｕｒｅとＰ−ｐｉｃｔｕｒｅ間のふたつのＢ−ｐｉｃｔｕｒｅを直前のＧＯＰ中のピクチャを参照ピクチャとして用いて符号化することができる。
【００２２】
一般に符号化効率の観点から、直前のＧＯＰ中のピクチャを参照ピクチャとして用いて符号化する場合が多い。
しかし、符号化時に直前のＧＯＰ中のピクチャを参照ピクチャとして用いずに符号化する場合もある。
【００２３】
Ｓｅｑｕｅｎｃｅ  Ｈｅａｄｅｒには、画像サイズ、フレームレート、アスペクトレシオ、ビットレート等の情報を記述する。Ｓｅｑｕｅｎｃｅ  Ｅｘｔｅｎｓｉｏｎには、符号化データの規格基準をあらわすプロファイルレベル、プログレッシブ条件、色差間引き条件等の情報を記述する。
【００２４】
図６（ｄ）にＧＯＰ  Ｈｅａｄｅｒの具体的構成を示す。ＧＯＰ  Ｈｅａｄｅｒには、４つのシンタックス要素を記述する。
第１に３２ビットのｇｒｏｕｐ＿ｓｔａｒｔ＿ｃｏｄｅであり、国際標準として固定値が決められている。
【００２５】
第２に２５ビットのｔｉｍｅ＿ｃｏｄｅであり、ＧＯＰ内で最初に表示するピクチャに対するタイムコードを記述する。
第３に１ビットのｃｌｏｓｅｄ＿ｇｏｐであり、この要素の値が１の場合は、直前のＧＯＰ中のピクチャを参照ピクチャとして用いず復号可能であることを示す。
【００２６】
これにより、例えば、編集により異なる符号化データのＧＯＰと接続した場合に、後述するｂｒｏｋｅｎ＿ｌｉｎｋの値を１にしなくてもよいことを編集器に伝えることができる。
【００２７】
特に、図６（ｃ）の構成でＩ−ｐｉｃｔｕｒｅとＰ−ｐｉｃｔｕｒｅ間のふたつのＢ−ｐｉｃｔｕｒｅを直前のＧＯＰ中のピクチャを参照ピクチャとして用いずに符号化した場合に有効となる。
【００２８】
すなわち、ｃｌｏｓｅｄ＿ｇｏｐを１とすることで、編集時に後述するｂｒｏｋｅｎ＿ｌｉｎｋの値を１とすることを避けることができ、結果的に復号時に前記ふたつのＢ−ｐｉｃｔｕｒｅの表示欠落を防ぐことができる。
【００２９】
第４に１ビットのｂｒｏｋｅｎ＿ｌｉｎｋであり、この要素の値が１の場合は、図６（ｃ）の構成でＩ−ｐｉｃｔｕｒｅとＰ−ｐｉｃｔｕｒｅ間のふたつのＢ−ｐｉｃｔｕｒｅを正しく復号できない可能性を示す。
【００３０】
これは、例えば、編集等によって直前のＧＯＰ中のピクチャを参照ピクチャとして用いて符号化した可能性のある前記ふたつのＢ−ｐｉｃｔｕｒｅが正しく復号できないことによる大きな画像の乱れを防ぐために用いられる。
【００３１】
一般にＭＰＥＧ−２の復号器では、ｂｒｏｋｅｎ＿ｌｉｎｋが１の場合、前記ふたつのＢ−ｐｉｃｔｕｒｅを表示せずに再生する。
［記録装置における実施例１］
【００３２】
図１は、本発明に基づく記録装置における実施例１である。符号化器１１０に動画像信号を入力し、ＭＰＥＧ−２ビデオに準拠した方式で図６のような構成で符号化する。符号化器１１０からの符号化データは、一旦記録バッファ１２０に蓄積する。そして、記録バッファ１２０から１ＧＯＰ分の符号化データをＧＯＰバッファ１３０に転送する。
【００３３】
記録制御器２２０は、光ディスク記録器２１０内の光ディスク記録空き容量とＧＯＰバッファ１３０に格納している１ＧＯＰ分の符号化データ量を比較する。
このとき、空き容量が多い場合には、記録制御器２２０は光ディスク記録器２１０にＧＯＰバッファ１３０に格納している１ＧＯＰ分の符号化データを読み出して記録するよう制御する。
【００３４】
また、空き容量が少ない場合には、記録制御器２２０は光ディスク記録器２１０に記録動作を停止するよう制御し、光ディスク記録器２１０の記録動作停止後、光ディスク記録器２１０と光ディスク交換機２５０に空き容量が十分ある光ディスクと交換動作するよう制御し、光ディスクの交換後、光ディスク記録器２１０にＧＯＰバッファ１３０に格納している１ＧＯＰ分の符号化データ量を読み出して記録するよう制御する。
【００３５】
ここで、光ディスク記録器２１０の記録レートは少なくとも符号化器１１０の符号化レートよりも十分高く、また、記録バッファ１２０の蓄積可能容量は少なくとも光ディスク交換要する期間で蓄積する符号化データよりも十分多くすることで、光ディスク交換中に発生する符号化データが記録バッファからあふれることで生じる符号化データの欠落を防ぐことができる。
【００３６】
また、空き容量が十分にある光ディスクと交換する方法は、例えば、特許文献１に記載の方法を用いて行えばよい。
以上の構成により、光ディスク記録器２１０で複数の光ディスクに記録した符号化データはＧＯＰを境界にして分割することができる。これにより、個々の光ディスクに記録された符号化データを独立して再生した場合に、符号化データがシンタックス上の途中で途切れることなく、かつ、符号化データがシンタックス上の途中から始まることなく復号することができ、また、ピクチャ間予測の復号において分断の影響を最小限にすることができるので、再生画像に大きな画像の乱れが生じることを防止できる。
［記録装置における実施例２］
【００３７】
図２は、本発明に基づく記録装置における実施例２である。符号化器１１０に動画像信号を入力し、ＭＰＥＧ−２ビデオに準拠した方式で図６のような構成で符号化する。符号化器１１０からの符号化データは、一旦記録バッファ１２０に蓄積する。そして、記録バッファ１２０から１ＧＯＰ分の符号化データをＧＯＰバッファ１３０に転送する。
【００３８】
記録制御器２２１は、光ディスク記録器２１０内の光ディスク記録空き容量とＧＯＰバッファ１３０に格納している１ＧＯＰ分の符号化データ量を比較する。
このとき、空き容量が多い場合には、記録制御器２２１は光ディスク記録器２１０にＧＯＰバッファ１３０に格納している１ＧＯＰ分の符号化データを、ブロークンリンク有効設定器１４０を介して読み出して記録するよう制御する。ここで、記録制御器２２１はブロークンリンク有効設定器１４０にＧＯＰバッファ１３０からの１ＧＯＰ分の符号化データをそのまま光ディスク記録器２１０に出力するよう制御する。
【００３９】
また、空き容量が少ない場合には、光ディスク記録器２１０に記録動作を停止するよう制御し、光ディスク記録器２１０の記録動作停止後、光ディスク記録器２１０と光ディスク交換器に空き容量が十分ある光ディスクと交換するよう制御し、光ディスクの交換後、光ディスク記録器２１０にＧＯＰバッファ１３０に格納している１ＧＯＰ分の符号化データを、ブロークンリンク有効設定器１４０を介して読み出して記録するよう制御する。ここで、記録制御器２２１はブロークンリンク有効設定器１４０にＧＯＰバッファ１３０からの１ＧＯＰ分の符号化データに対してＧＯＰ  Ｈｅａｄｅｒ中のｃｌｏｓｅｄ＿ｇｏｐの値が１でない場合にｂｒｏｋｅｎ＿ｌｉｎｋの値を１に修正して光ディスク記録器２１０に出力するよう制御する。
【００４０】
即ち、本実施例では、一の記録媒体に記録すべく分割して得た第１の分割符号化データを再生する際に、他の記録媒体に記録すべく分割して得た他の分割符号化データを必要とする前記第１の分割符号化データにおけるピクチャ間予測符号化ピクチャが、画像表示手段に非表示とされることを示す表示禁止情報を、前記第１の分割符号化データと共に前記一の記録媒体に記録するようにした。
【００４１】
以上の構成により、光ディスク記録器２１０で複数の光ディスクに記録した符号化データはＧＯＰを境界にして分割することができる。これにより、個々の光ディスクに記録された符号化データを独立して再生した場合に、符号化データがシンタックス上の途中で途切れず、符号化データがシンタックス上の途中から始まることなく、復号処理を行うことができ、再生画像に大きな画像の乱れが生じることを防止することができる。さらに、別の光ディスクに分割記録した符号化データを必要とするピクチャを復号して表示しないことを復号器に告知できるため、個々の光ディスク再生直後の画像に画像の乱れが生じることを防止できる。
［記録装置における実施例３］
【００４２】
図３は、本発明に基づく記録装置における実施例３である。
符号化器１１０に動画像信号を入力し、ＭＰＥＧ−２ビデオに準拠した方式で図６のような構成で符号化する。符号化器１１０からの符号化データは、スイッチ１５１を介して一旦記録バッファ１２１に蓄積する。そして、記録バッファ１２１からスイッチ１５２を介して１ＧＯＰ分の符号化データをＧＯＰバッファ１３０に転送する。
【００４３】
記録制御器２２２は、光ディスク記録器２１０内の光ディスクの記録空き容量と記録バッファ１２１とＧＯＰバッファ１３０の蓄積量とを比較する。
このとき、光ディスクの記録空き容量が、記録バッファ１２１とＧＯＰバッファ１３０の蓄積量に比べて所定量以上の場合には、記録制御器２２２は光ディスク記録器２１０にＧＯＰバッファ１３０に格納している１ＧＯＰ分の符号化データを読み出して記録するよう制御する。
【００４４】
また、光ディスクの記録空き容量が、記録バッファ１２１とＧＯＰバッファ１３０の蓄積量に比べて所定量未満の場合には、記録制御器２２２は、符号化器１１０に次のＧＯＰを符号化する際に少なくともピクチャ間予測の復号に直前のＧＯＰ符号化データを必要としないように符号化するよう制御するとともに、次のＧＯＰ符号化データからスイッチ１５１を切り替えて記録バッファ１２２に蓄積するよう制御する。
【００４５】
記録制御器２２２は、記録バッファ１２１に蓄積している符号化データがすべてＧＯＰバッファ１３０に転送され、光ディスク記録器２３０に出力された後、光ディスク記録器２１０に記録動作を停止するよう制御し、光ディスク記録器２１０の記録動作停止後、光ディスク記録器２１０と光ディスク交換器に空き容量が十分ある光ディスクと交換するよう制御し、光ディスクの交換後、スイッチ１５２を切り替えて記録バッファ１２２からＧＯＰバッファ１３０に転送され、光ディスク記録器２１０に出力できるように制御する。
【００４６】
以降、同様に符号化器１１０からの符号化データを順次スイッチ１５１を介して記録バッファ１２１、もしくは、記録バッファ１２２に蓄積し、スイッチ１５２を介して記録バッファ１２１、もしくは、記録バッファ１２２に蓄積した符号化データをＧＯＰバッファ１３０に転送して、光ディスク記録器２１０に出力できるように制御する。
【００４７】
以上の構成により、光ディスク記録器２１０で複数の光ディスクに記録した符号化データはＧＯＰを境界にして分割することができる。これにより、個々の光ディスクに記録された符号化データを独立して再生した場合に、符号化データがシンタックス上の途中で途切れず、符号化データがシンタックス上の途中から始まることなく、復号処理を行うことができ、再生画像に大きな画像の乱れが生じることを防止することができる。
【００４８】
さらに、少なくとも分割直後の符号化データがピクチャ間予測の復号に別の記録媒体に分割記録した符号化データを必要としないように符号化することで、即ち、一の記録媒体に記録すべき分割符号化データであり、一の分割点に対して時間的に直後の分割符号化データである第１の分割符号化データを、ピクチャ間予測復号において他の記録媒体に記録すべき他の分割符号化データを必要としないようにして符号化して得るようにしたので、個々の光ディスク再生直後の画像に画像の乱れが生じるたり、欠落画像が生じたりすることを防止できる。
［再生装置における参考例１］
【００４９】
図４は、本発明に基づく記録装置に関連する再生装置の参考例１である。特に、本参考例は記録装置における実施例１で動画像の符号化データを分割して記録した複数の光ディスクを、個々に再生する場合に効果が大きい。
【００５０】
読み出し制御器２４０は、読み出しバッファ３２０の蓄積容量が所定範囲内となるように光ディスク再生器２３０から１ＧＯＰ毎に符号化データを読み出し、ブロークンリンク有効設定器３１１を介して読み出しバッファ３２０に転送する。
【００５１】
ここで、読み出し制御器２４０は、光ディスク再生器２３０から読み出した１ＧＯＰ分の符号化データが記録動画像符号化データの始端であり、かつ、ＧＯＰ  Ｈｅａｄｅｒ中のｃｌｏｓｅｄ＿ｇｏｐの値が１でない場合のみ、ｂｒｏｋｅｎ＿ｌｉｎｋの値を１に修正して読み出しバッファ３２０に転送するよう制御する。即ち、記録媒体から分割符号化データによる画像を再生する際に、ピクチャ間予測復号に他の記録媒体に記録された他の分割符号化データを必要とするピクチャ間予測符号化ピクチャを画像表示手段に表示させないよう制御する。
【００５２】
復号器３３０は、読み出しバッファ３２０から符号化データを読み出してＭＰＥＧ−２ビデオに準拠した方法で復号し、動画像を順次出力する。
以上の構成により、記録装置における実施例１で動画像の符号化データを分割して記録した複数の光ディスクを個々に再生する場合に、記録動画像符号化データの始端ＧＯＰの復号に別の光ディスクに記録した符号化データを必要とするピクチャを表示しないように復号器３３０を動作させることができ、個々の光ディスク再生直後の画像に画像の乱れが生じることを防止できる。
［再生装置における参考例２］
【００５３】
図５は、本発明に基づく記録装置に関連する再生装置の参考例２である。特に、本参考例は記録装置における実施例２で動画像の符号化データを分割して記録した複数の光ディスクを、連続して再生する場合に効果が大きい。
【００５４】
読み出し制御器２４１は、読み出しバッファ３２０の蓄積容量が所定範囲内となるように光ディスク再生器２３１から１ＧＯＰ毎に符号化データを読み出し、ブロークンリンク有効・無効設定器３１２を介して読み出しバッファ３２０に転送するよう制御する。
【００５５】
このとき、光ディスクから読み出す符号化データが分割記録した符号化データの終端である場合、光ディスク再生器２３１に読み出し動作を停止するように制御し、光ディスク再生器２３１が再生動作停止後、光ディスク再生器２３１と光ディスク交換器に続きの符号化データを記録した光ディスクに交換するよう制御する。
【００５６】
そして、光ディスクの交換後、再び読み出しバッファ３２０の蓄積容量が所定範囲内となるように光ディスク再生器２３１から１ＧＯＰ毎に符号化データを読み出し、ブロークンリンク有効・無効設定器３１２を介して読み出しバッファ３２０に転送するよう制御する。
【００５７】
また、読み出し制御器２４１は、光ディスク再生器２３１から読み出した１ＧＯＰ分の符号化データが記録動画像符号化データの始端であり、かつ、ＧＯＰ  Ｈｅａｄｅｒ中のｃｌｏｓｅｄ＿ｇｏｐの値が１でない場合のみ、ブロークンリンク有効・無効設定器３１２によってｂｒｏｋｅｎ＿ｌｉｎｋの値を１に修正して読み出しバッファ３２０に転送するよう制御する。
【００５８】
即ち、ピクチャ間予測復号に他の記録媒体に記録された他の分割符号化データを必要とするピクチャ間予測符号化ピクチャを画像表示手段に非表示とすることを示す表示禁止情報と共に、前記分割符号化データが記録された一の前記記録媒体から画像を再生する動作を、前記ピクチャ間予測符号化ピクチャの復号に必要となる前記他の分割符号化データが記録された記録媒体から画像を再生する動作に連続させて行う際に、前記他の分割符号化データが記録された記録媒体と前記一の記録媒体とから各分割符号化データを分割前のひとつの符号化データとして連続して読み出す読み出し、前記一の記録媒体から読み出された前記表示禁止情報を無効にする。
【００５９】
復号器３３０は、読み出しバッファ３２０から符号化データを読み出してＭＰＥＧ−２ビデオに準拠した方法で復号し、動画像を順次出力する。
以上の構成により、記録装置における実施例２で動画像の符号化データを分割して記録した複数の光ディスクを連続して再生する場合に、記録動画像符号化データの始端ＧＯＰの復号で別の光ディスクに記録した符号化データを必要とするピクチャを表示しないように修正していたＧＯＰ  Ｈｅａｄｅｒ中のｂｒｏｋｅｎ＿ｌｉｎｋの値が１の状態で復号することで生じる再生画像の欠落を防止できる。
【００６０】
上記において、動画像の符号化方式としてＭＰＥＧ−２ビデオを例に説明したが、少なくともピクチャ間予測を動画像の符号化方式であれば、例えば、ＩＳＯ／ＩＥＣ１１１７２−２（以下、ＭＰＥＧ−１ビデオ）やＩＳＯ／ＩＥＣ１４４９６−２（以下、ＭＰＥＧ−４ビジュアル）やＩＳＯ／ＩＥＣ１４４９６−１０（以下、ＭＰＥＧ−４  ＡＶＣ）等その他の符号化方式でもよい。
【００６１】
また、記録媒体として光ディスクを例に説明したが、光ホログラムメモリ、半導体メモリ、磁気テープ、ハードディスク等その他の記録媒体でもよい。
【産業上の利用可能性】
【００６２】
本発明は、少なくともピクチャ間予測を含む動画像符号化方式を用いて生成された符号化データを複数の記録媒体に分割して記録する記録装置に関するものであり、例えば、光ディスクチェンジャーによる記録装置に適用できる。
【図面の簡単な説明】
【００６３】
【図１】本発明の記録装置における実施例１を示す構成図である。
【図２】本発明の記録装置における実施例２を示す構成図である。
【図３】本発明の記録装置における実施例３を示す構成図である。
【図４】本発明の記録装置に関連する再生装置の参考例１を示す構成図である。
【図５】本発明の記録装置に関連する再生装置の参考例２を示す構成図である。
【図６】動画像符号化データの構成例を示す図である。
【符号の説明】
【００６４】
１１０・・・・・・・・・・・符号化器
１２０、１２１、１２２・・・記録バッファ
１３０・・・・・・・・・・・ＧＯＰバッファ
１４０・・・・・・・・・・・ブロークンリンク有効設定器
１５１、１５２・・・・・・・スイッチ
２１０・・・・・・・・・・・光ディスク記録器
２２０、２２１、２２２・・・記録制御器
２３０、２３１・・・・・・・光ディスク再生器
２４０、２４１・・・・・・・読み出し制御器
２５０・・・・・・・・・・・光ディスク交換機
３１１・・・・・・・・・・・ブロークンリンク有効設定器
３１２・・・・・・・・・・・ブロークンリンク有効・無効設定器
３３０・・・・・・・・・・・読み出しバッファ
３４０・・・・・・・・・・・復号器
【図１】
2005311936.tif 000003
【図２】
2005311936.tif 000004
【図３】
2005311936.tif 000005
【図４】
2005311936.tif 000006
【図５】
2005311936.tif 000007
【図６】
2005311936.tif 000008